(57)【要約】      （修正有）【課題】一回の切断作業で複数枚の紙の角端部を円弧状に形成することを可能とすると伴に、紙の角端部を紙のサイズに応じた適切な円弧状に形成し、体裁の良い紙を作成することを可能としたコーナーカッターを提供する。【解決手段】紙が載置される紙載置面と同一平面上に設けられた固定刃を有する台座部と、固定刃の端縁の平面形状と同一の平面形状の端縁を有し、固定刃の上方に配置されて上下方向に移動し、固定刃の端縁に当接しうる可動刃を有する可動部とを備え、可動刃を固定刃に当接させることにより、紙の角端部を切断する。固定刃は、夫々、曲率の異なる複数の固定刃部により構成されると共に、可動刃は、複数の固定刃部に夫々対応する曲率を有する可動刃部により構成されている。【選択図】図１
0003174514.tif 000002
【実用新案登録請求の範囲】
【請求項１】
紙が載置される紙載置面と同一平面上に設けられた固定刃を有する台座部と、上記固定刃の端縁の平面形状と同一の平面形状の端縁を有し、固定刃の上方に配置されて上下方向に移動し、固定刃の端縁に当接しうる可動刃を有する可動部とを備え、
上記可動刃を固定刃に当接させることにより、紙の角端部を切断するコーナーカッターであって、
上記固定刃は、夫々、曲率の異なる複数の固定刃部により構成されると共に、上記可動刃は、上記複数の固定刃部に夫々対応する曲率を有する可動刃部により構成されることを特徴とするコーナーカッター。
【請求項２】
上記台座部上には複数の紙載置部が形成され、上記固定刃部は、夫々、上記各紙載置部に連設されていることを特徴とする請求項１記載のコーナーカッター。
【請求項３】
上記台座部は全体略円盤状に形成され、上記紙載置部は、円周方向に沿って互いに隣接して設けられていることを特徴とする請求項２記載のコーナーカッター。
【請求項４】
上記固定刃部は、互いに直角となるように所定の空隙部を置いて配設されると共に、上記可動刃部は、平面略十字状に形成された可動片部により形成されていることを特徴とする請求項３記載のコーナーカッター。
【請求項５】
上記固定刃部は３つ設けられると共に、対応する可動刃部は、上記空隙部内に出入して上記固定刃部と当接して紙の角端部を切断しうるように３つ設けられており、上記夫々の刃部は、大きな曲率、小さな曲率及び中間の曲率により形成されていることを特徴とする請求項４記載のコーナーカッター。
【請求項６】
上記紙載置部には、夫々、切断される紙を固定刃部にガイドするためのガイド部材が設けられていることを特徴とする請求項５記載のコーナーカッター。
【考案の詳細な説明】
【技術分野】
【０００１】
本考案は、コーナーカッターの改良に関する。
【背景技術】
【０００２】
一般に、紙の角端部を切断し、紙の体裁を整える為にはコーナーカッターが使用されている。このような従来のコーナーカッターは、紙が載置される紙載置面と同一平面上に設けられた固定刃を有する台座部と、上記固定刃の端縁の平面形状と同一の平面形状の端縁を有し、固定刃の上方に配置されて上下方向に移動し、固定刃の端縁に当接しうる可動刃を有する可動部とを備え、上記可動刃を固定刃に当接させることにより、紙の角端部を切断する構成が一般的である。
【０００３】
しかし、従来の一般的なコーナーカッターには、固定刃及び可動刃が夫々一つずつしか備えられておらず、一回の切断作業で切断できる紙の角端部は一箇所のみであり、被切断物である紙が複数枚ある場合には、作業負担が増大することとなる。
【０００４】
また、従来の一般的なコーナーカッターには、固定刃及び可動刃が夫々一つずつしか備えられておらず、常に同一の曲率を有する固定刃及び可動刃で紙の角端部を切断するため、様々なサイズの紙、夫々に適する円弧状端部を形成することができなかった。
【０００５】
この点、特許文献１に示すように固定刃と可動刃とからなる裁断部材を基盤に装脱自在にし、予め異なった曲率を有する裁断部材を必要種類揃え、これを随時基盤の陥部に交換装着することで、上記問題を解決することも可能である。
【０００６】
しかし、予め異なった曲率を有する裁断部材を必要種類揃え、その都度、裁断部材を基盤に装脱することは、裁断部材を持ち運ばなければならず、負担が増大すると伴に、作業手順が煩雑になるため不都合である。
【特許文献１】実開昭５８−７５６９０号公報
【考案の開示】
【考案が解決しようとする課題】
【０００７】
そこで、本考案の課題は、一回の切断作業で複数枚の紙の角端部を円弧状に形成することを可能とすると伴に、紙の角端部を紙のサイズに応じた適切な円弧状に形成し、体裁の良い紙を作成することを可能としたコーナーカッターを提供することにある。
【０００８】
また、本発明の他の課題は、複数の固定刃部を備えつつも、持ち運びに適したコンパクトなサイズのコーナーカッターを提供することにある。
【０００９】
また、本発明の他の課題は、複数の固定刃部を備えつつも、扱い易いコーナーカッターを提供することにある。
【００１０】
また、本発明の他の課題は、切断される紙の仕上がりの質を向上させ、より体裁の良い紙を容易に作成することを可能としたコーナーカッターを提供することにある。
【課題を解決するための手段】
【００１１】
上記課題を解決するために、請求項１に記載された考案に係るコーナーカッターは、紙が載置される紙載置面と同一平面上に設けられた固定刃を有する台座部と、上記固定刃の端縁の平面形状と同一の平面形状の端縁を有し、固定刃の上方に配置されて上下方向に移動し、固定刃の端縁に当接しうる可動刃を有する可動部とを備え、上記可動刃を固定刃に当接させることにより、紙の角端部を切断するコーナーカッターであって、上記固定刃は、夫々、曲率の異なる複数の固定刃部により構成されると共に、上記可動刃は、上記複数の固定刃部に夫々対応する曲率を有する可動刃部により構成されることを特徴とする。
【００１２】
従って、請求項１記載の考案にあっては、上記固定刃は、夫々、曲率の異なる複数の固定刃部により構成されると共に、上記可動刃は、上記複数の固定刃部に夫々対応する曲率を有する可動刃部により構成されていることから、可動刃を下方向に移動させた場合、紙載置面に載置された複数の紙の角端部に、夫々、曲率の異なる複数の固定刃部が夫々の紙の下方向から当接すると同時に、上記複数の固定刃部に夫々対応する曲率を有する可動刃部が夫々の紙の上方向から、当接することで、固定刃部及び可動刃部の交差点において剪断応力が発生し、紙が切断される。従って、可動刃を下方向に移動させるという一回の切断作業で曲率の異なる複数の紙の円弧状端部が形成される。
また、紙のサイズに適した固定刃の曲率を選択し、選択した固定刃に当接しうる紙載置面に紙を載置させ、可動刃を下方向に移動させ、紙を切断することで、紙の角端部が紙のサイズに応じた適切な円弧状に形成される。
【００１３】
また、請求項２記載の考案に係るコーナーカッターにおいては、上記台座部上には複数の紙載置部が形成され、上記固定刃部は、夫々、上記各紙載置部に連設されていることを特徴とする。
【００１４】
従って、請求項２記載の考案にあっては、上記台座部上には複数の紙載置部が形成され、上記固定刃部は、夫々、上記各紙載置部に連設されていることから、可動刃を下方向に移動させた場合、紙載置部に載置された複数の紙の角端部に、夫々、曲率の異なる複数の固定刃部が夫々の紙の下方向から当接すると同時に上記複数の固定刃部に夫々対応する曲率を有する可動刃部が夫々の紙の上方向から当接することで、固定刃部及び可動刃部の交差点において剪断応力が発生し、紙が切断される。従って、可動刃を下方向に移動させるという一回の切断作業で曲率の異なる複数の紙の円弧状端部が形成される。
また、紙のサイズに適した固定刃の曲率を選択し、選択した固定刃に連設されている紙載置部に紙を載置させた状態で、可動刃を下方向に移動させ、紙を切断することで、紙の角端部が紙のサイズに応じた適切な円弧状に形成される。
【００１５】
また、請求項３記載の考案に係るコーナーカッターにおいては、上記台座部は全体略円盤状に形成され、上記紙載置部は、円周方向に沿って互いに隣接して設けられていることを特徴とする。
【００１６】
従って、請求項３記載の考案にあっては、上記台座部は全体略円盤状に形成され、上記紙載置部は、円周方向に沿って互いに隣接して設けられていることから、同一直線上に紙載置部が連設される場合とは異なり、台座部の縦寸法又は横寸法を短くすることができ、全体として持ち運びやすいサイズのコーナーカッターが形成される。
【００１７】
また、請求項４記載の考案に係るコーナーカッターにおいては、上記固定刃部は、互いに直角となるように所定の空隙部を置いて配設されると共に、上記可動刃部は、平面略十字状に形成された可動片部により形成されていることを特徴とする。
【００１８】
従って、請求項４記載の考案にあっては、上記固定刃部は、互いに直角となるように所定の空隙部を置いて配設されると共に、上記可動刃部は、平面略十字状に形成された可動片部により形成されていることから、紙の角端部を切断するために載置された紙同士が重なり合うことがなく、ある紙の移動が他の紙に影響しないため、切断作業が行い易くなる。
また、可動片部を下方向に移動させた場合、可動刃も併せて下方向に移動し、紙載置部に載置された複数の紙の角端部に、夫々、曲率の異なる複数の固定刃部が夫々の紙の下方向から当接すると同時に、平面略十字状に形成された可動片部により形成され、上記複数の固定刃部に夫々対応する曲率を有する可動刃部が夫々の紙の上方向から当接することで、固定刃部及び可動刃部の交差点において剪断応力が発生し、紙が切断される。
従って、可動片部を下方向に移動させるという一回の切断作業で曲率の異なる複数の紙の円弧状端部が形成される。
さらに、紙のサイズに適した固定刃の曲率を選択し、選択した固定刃に連設されている紙載置部に紙を載置させた状態で、可動刃を下方向に移動させ、紙を切断することで、紙の角端部が紙のサイズに応じた適切な円弧状に形成される。
【００１９】
また、請求項５記載の考案に係るコーナーカッターにおいては、上記固定刃部は３つ設けられると共に、対応する可動刃部は、上記空隙部内に出入して上記固定刃部と当接して紙の角端部を切断しうるように３つ設けられており、上記夫々の固定刃部及び可動刃部は、大きな曲率、小さな曲率及び中間の曲率により形成されていることを特徴とする。
【００２０】
従って、請求項５記載の考案にあっては、上記固定刃部は３つ設けられると共に、対応する可動刃部は、上記空隙部内に出入して上記固定刃部と当接して紙の角端部を切断しうるように３つ設けられており、上記夫々の固定刃部及び可動刃部は、大きな曲率、小さな曲率及び中間の曲率により形成されていることから、可動片部を下方向に移動させた場合、可動刃も併せて下方向に移動し、紙載置部に載置された最大３枚の紙の角端部に、夫々、大きな曲率、小さな曲率及び中間の曲率により形成された３つの固定刃部が３つの紙の下方向から当接すると同時に、平面略十字状に形成された可動片部により形成され、上記３つの固定刃部に対応する大きな曲率、小さな曲率及び中間の曲率を有する可動刃部が３つの紙の上方向から当接することで、3つの固定刃部及び可動刃部の交差点において剪断応力が発生し、紙が切断される。従って、可動片部を下方向に移動させるという一回の切断作業で夫々、曲率の異なる円弧状端部が最大３つ形成される。
また、紙のサイズに適した固定刃の曲率を選択し、選択した固定刃に連設されている紙載置部に紙を載置させた状態で、可動刃を下方向に移動させ、紙を切断することで、紙の角端部が紙のサイズに応じた適切な円弧状に形成される。
【００２１】
また、請求項６記載の考案に係るコーナーカッターにおいては、上記紙載置部には、夫々、切断される紙を固定刃部にガイドするためのガイド部材が設けられていることを特徴とする。
【００２２】
従って、請求項６記載の考案にあっては、上記紙載置部には、夫々、切断される紙を固定刃部にガイドするためのガイド部材が設けられていることから、紙の角端部を適切な切断位置にセットすることができ、切断作業が容易となる。
【考案の効果】
【００２３】
請求項１に記載された考案に係るコーナーカッターにあっては、上記固定刃は、夫々、曲率の異なる複数の固定刃部により構成されると共に、上記可動刃は、上記複数の固定刃部に夫々対応する曲率を有する可動刃部により構成されていることから、可動刃を下方向に移動させた場合、紙載置面に載置された複数の紙の角端部に、夫々、曲率の異なる複数の固定刃部が夫々の紙の下方向から当接すると同時に、上記複数の固定刃部に夫々対応する曲率を有する可動刃部が夫々の紙の上方向から、当接することで、固定刃部及び可動刃部の交差点において剪断応力が発生し、紙が切断される。従って、可動刃を下方向に移動させるという一回の切断作業で曲率の異なる複数の紙の円弧状端部が形成される。
また、紙のサイズに適した固定刃の曲率を選択し、選択した固定刃に当接しうる紙載置面に紙を載置させ、可動刃を下方向に移動させ、紙を切断することで、紙の角端部が紙のサイズに応じた適切な円弧状に形成される。
その結果、一回の切断作業で複数枚の紙の角端部を円弧状に形成することを可能とすると伴に、紙の角端部を紙のサイズに応じた適切な円弧状に形成し、体裁の良い紙を作成することを可能としたコーナーカッターを提供することができる。
【００２４】
請求項２記載の考案に係るコーナーカッターにあっては、上記台座部上には複数の紙載置部が形成され、上記固定刃部は、夫々、上記各紙載置部に連設されていることから、可動刃を下方向に移動させた場合、紙載置部に載置された複数の紙の角端部に、夫々、曲率の異なる複数の固定刃部が夫々の紙の下方向から当接すると同時に、上記複数の固定刃部に夫々対応する曲率を有する可動刃部が夫々の紙の上方向から、当接することで、固定刃部及び可動刃部の交差点において剪断応力が発生し、紙が切断される。従って、可動刃を下方向に移動させるという一回の切断作業で曲率の異なる複数の紙の円弧状端部が形成される。
また、紙のサイズに適した固定刃の曲率を選択し、選択した固定刃に連設されている紙載置部に紙を載置させた状態で、可動刃を下方向に移動させ、紙を切断することで、紙の角端部が紙のサイズに応じた適切な円弧状に形成される。
その結果、一回の切断作業で複数枚の紙の角端部を円弧状に形成することを可能とすると伴に、紙の角端部を紙のサイズに応じた適切な円弧状に形成し、体裁の良い紙を作成することを可能としたコーナーカッターを提供することができる。
【００２５】
請求項３記載の考案に係るコーナーカッターにあっては、請求項２に記載の考案の効果に加え、上記台座部は全体略円盤状に形成され、上記紙載置部は、円周方向に沿って互いに隣接して設けられていることから、同一直線上に紙載置部が連設される場合とは異なり、台座部の縦寸法又は横寸法を短くすることができ、全体として持ち運びやすいサイズのコーナーカッターが形成される。
その結果、複数の固定刃部を備えつつも、持ち運びに適したコンパクトなサイズのコーナーカッターを提供することができる。
【００２６】
請求項４記載の考案に係るコーナーカッターにあっては、請求項３に記載の考案の効果に加え、上記固定刃部は、互いに直角となるように所定の空隙部を置いて配設されると共に、上記可動刃部は、平面略十字状に形成された可動片部により形成されていることから、紙の角端部を切断するために載置された紙同士が重なり合うことがなく、ある紙の移動が他の紙に影響しないため、切断作業が行い易くなる。その結果、複数の固定刃部を備えつつも、扱い易いコーナーカッターを提供することができる。
また、可動片部を下方向に移動させた場合、可動刃も併せて下方向に移動し、紙載置部に載置された複数の紙の角端部に、夫々、曲率の異なる複数の固定刃部が夫々の紙の下方向から当接すると同時に、平面略十字状に形成された可動片部により形成され、上記複数の固定刃部に夫々対応する曲率を有する可動刃部が夫々の紙の上方向から当接することで、固定刃部及び可動刃部の交差点において剪断応力が発生し、紙が切断される。従って、可動片部を下方向に移動させるという一回の切断作業で曲率の異なる複数の紙の円弧状端部が形成される。
また、紙のサイズに適した固定刃の曲率を選択し、選択した固定刃に連設されている紙載置部に紙を載置させた状態で、可動刃を下方向に移動させ、紙を切断することで、紙の角端部が紙のサイズに応じた適切な円弧状に形成される。
その結果、一回の切断作業で複数枚の紙の角端部を円弧状に形成することを可能とすると伴に、紙の角端部を紙のサイズに応じた適切な円弧状に形成し、体裁の良い紙を作成することを可能としたコーナーカッターを提供することができる。
【００２７】
請求項５記載の考案に係るコーナーカッターにあっては、上記固定刃部は３つ設けられると共に、対応する可動刃部は、上記空隙部内に出入して上記固定刃部と当接して紙の角端部を切断しうるように３つ設けられており、上記夫々の固定刃部及び可動刃部は、大きな曲率、小さな曲率及び中間の曲率により形成されていることから、可動片部を下方向に移動させた場合、可動刃も併せて下方向に移動し、紙載置部に載置された最大３枚の紙の角端部に、夫々、大きな曲率、小さな曲率及び中間の曲率により形成された３つの固定刃部が３つの紙の下方向から当接すると同時に、平面略十字状に形成された可動片部により形成され、上記３つの固定刃部に対応する大きな曲率、小さな曲率及び中間の曲率を有する可動刃部が３つの紙の上方向から当接することで、3つの固定刃部及び可動刃部の交差点において剪断応力が発生し、紙が切断される。従って、可動片部を下方向に移動させるという一回の切断作業で夫々、曲率の異なる円弧状端部が最大３つ形成される。
また、紙のサイズに適した固定刃の曲率を選択し、選択した固定刃に連設されている紙載置部に紙を載置させた状態で、可動刃を下方向に移動させ、紙を切断することで、紙の角端部が紙のサイズに応じた適切な円弧状に形成される。
その結果、一回の切断作業で最大３枚の紙の角端部を円弧状に形成することを可能とすると伴に、紙の角端部を紙のサイズに応じた適切な円弧状に形成し、体裁の良い紙を作成することを可能としたコーナーカッターを提供することができる。
【００２８】
請求項６記載の考案に係るコーナーカッターにあっては、請求項５に記載の考案の効果に加え、上記紙載置部には、夫々、切断される紙を固定刃部にガイドするためのガイド部材が設けられていることから、紙の角端部を適切な切断位置にセットすることができ、切断作業が容易となる。
その結果、切断される紙の仕上がりの質を向上させ、より体裁の良い紙を容易に作成することを可能としたコーナーカッターを提供することができる。
【図面の簡単な説明】
【００２９】
【図１】本考案に係るコーナーカッターの一実施の形態を示し、実施の形態におけるコーナーカッターの斜視図である。
【図２】本考案に係るコーナーカッターの一実施の形態を示し、実施の形態における台座部の平面図である。
【図３】本考案に係るコーナーカッターの一実施の形態を示し、実施の形態における可動部の側面図である。
【図４】本考案に係るコーナーカッターの一実施の形態を示し、実施の形態における可動部の底面図である。
【図５】本考案に係るコーナーカッターの一実施の形態を示し、実施の形態における台座部の底面図であり、可動刃と固定刃が当接している状態を示す図である。
【考案を実施するための最良の形態】
【００３０】
以下、添付図面に示す実施の形態に基づき、本考案に係るコーナーカッターを詳述する。
【００３１】
図１に示すように、本実施の形態に係るコーナーカッター１０は、紙が載置される紙載置部１８と、同一平面上に設けられた固定刃１１を有する台座部１２と、上記固定刃１１の端縁の平面形状と同一の平面形状の端縁を有し、固定刃１１の上方に配置されて上下方向に移動し、固定刃１１の端縁に当接しうる可動刃１３を有する可動部１４とを備えている。
図５に示すように、上記可動刃１３を固定刃１１に当接させることにより、紙の角端部１５を切断するコーナーカッターであって、上記固定刃１１は、夫々、曲率の異なる複数の固定刃部１６により構成されると共に、上記可動刃１３は、上記複数の固定刃部１６に夫々対応する曲率を有する可動刃部１７により構成されている。
【００３２】
図２に示すように、本実施の形態に係るコーナーカッター１０においては、上記台座部１２上には複数の紙載置部１８が形成され、上記固定刃部１６は、夫々、上記各紙載置部１８と同一面上に連設されている。
【００３３】
図１及び図２に示された本実施の形態に係るコーナーカッター１０においては、上記台座部１２は全体略円盤状に形成され、上記紙載置部１８は、円周方向に沿って互いに隣接して設けられている。
【００３４】
図２及び図４に示された本実施の形態に係るコーナーカッター１０においては、上記固定刃部１６は、互いに直角となるように所定の空隙部１９を置いて配設されると共に、上記可動刃部１７は、平面略十字状に形成された可動片部２０により形成されている。
【００３５】
図２、図４、及び図５に示すように、本実施の形態に係るコーナーカッター１０には、上記固定刃部１６が３つ(固定刃部１６a、固定刃部１６ｂ、及び、固定刃部１６ｃ)設けられると共に、対応する可動刃部１７は、上記空隙部１９内に出入して上記固定刃部１６と当接して紙の角端部１５を切断しうるように３つ(可動刃部１７a、可動刃部１７ｂ、及び、可動刃部１７ｃ)設けられている。
上記固定刃部１６は、大きな曲率を有する固定刃部１６a、小さな曲率を有する固定刃部１６ｃ、及び中間の曲率を有する固定刃部１６ｂにより構成されており、上記可動刃部１７は、大きな曲率を有する可動刃部１７a、小さな曲率を有する可動刃部１７ｃ、及び、中間の曲率を有する可動刃部１７ｂにより構成されている。
【００３６】
図２に示すように、上記紙載置部１８は、大きな曲率を有する固定刃部１６aに連設している紙載置部１８a、小さな曲率を有する固定刃部１６ｃに連設している紙載置部１８ｃ、及び中間の曲率を有する固定刃部１６ｂに連設している紙載置部１８ｂにより構成されている。
【００３７】
図１及び図２に示すように、本実施の形態に係るコーナーカッター１０における上記紙載置部１８には、夫々、切断される紙を固定刃部１６にガイドするための４つのガイド部材２１が設けられている。
【００３８】
図１及び図２に示すように、上記ガイド部材２１は、紙載置部１８上に隆起しており、高さ寸法Hを有している。
【００３９】
図２に示すように、上記ガイド部材２１は、ガイド部材２１a、ガイド部材２１ｂ、ガイド部材２１ｃ、及び、ガイド部材２１ｄにより構成されている。
【００４０】
図２に示すように、上記ガイド部材２１ｂは、紙載置部１８ｂと紙載置部１８aの間に設けられ、切断される紙を固定刃部１６ｂ、又は、固定刃部１６aにガイドする。
図２に示すように、上記ガイド部材２１ｃは、紙載置部１８bと紙載置部１８cの間に設けられ、切断される紙を固定刃部１６ｂ、又は、固定刃部１６ｃにガイドする。
図２に示すように、上記ガイド部材２１aは、紙載置部１８aを基準として上記ガイド部材２１ｂとは反対側の周方向に設けられ、切断される紙を固定刃部１６aにガイドする。
図２に示すように、２２上記ガイド部材２１ｄは、紙載置部１８ｃを基準として上記ガイド部材２１ｂとは反対側の周方向に設けられ、切断される紙を固定刃部１６ｃにガイドする。
【００４１】
図１及び図２に示された、上記台座部１２の内部には切断された紙片が集積される紙片集積部３０(図示せず)が設けられている。
上記紙片集積部３０(図示せず)は上記台座部１２の内部における空洞と、台座部１２の底面に嵌着されたカバー３１により形成される。
【００４２】
図３及び図４に示すように、上記可動部１４は、可動部本体２２と、上記可動部本体２２を操作する操作部２３とを備えている。上記可動部本体２２は、フレーム部２４と、上記フレーム部２４に対して常時、コイルスプリング２５により上方へ付勢されて取り付けられ、上記フレーム部２４を貫通して上下動する可動刃支持部２６とを有する。上記可動刃支持部２６の下端部には可動刃１３が固定されている。上記可動刃１３は平面略十字状に形成されている。
【００４３】
図３及び図４に示すように、上記フレーム部２４は、平板部２７と、平板部２７の端部２８から立ち上がって形成され、上記操作部２３が軸支される軸支部２９とを有している。
【００４４】
以下、本実施例に係るコーナーカッターの作用について説明する。
図１に示すように、コーナーカッター１０は上記台座部１２上に設けられた夫々の紙載置部１８に紙を載置した状態で使用する。
【００４５】
図１及び図３に示すように、コイルスプリング２５の上方への付勢力以上の力で操作部２３を下方向に押圧し、上記可動刃支持部２６を下方向に移動させることで、可動刃支持部２６の下端部に固定された可動刃１３を下方向に移動させることができる。
【００４６】
図１及び図３に示すように、操作部２３への下方向の押圧を解除した場合には、コイルスプリング２５の上方へ付勢力により、可動刃支持部２６は上方向へと移動し、可動刃支持部２６の下端部に固定された可動刃１３も併せて上方向へと移動する。
【００４７】
図１乃至図５に示すように、上記台座部１２上に設けられた紙載置部１８a、紙載置部１８ｂ、及び、紙載置部１８ｃに夫々、1枚ずつ全体として3枚の紙を載置した状態で、コイルスプリング２５の上方への付勢力以上の力で操作部２３を下方向に押圧し、上記可動刃支持部２６を下方向に移動させ、併せて可動刃支持部２６の下端部に固定された可動片部２０及び可動刃１３を下方向に移動させることで、夫々、大きな曲率を有する固定刃部１６a、小さな曲率を有する固定刃部１６ｃ、及び中間の曲率を有する固定刃部１６ｂの３つの固定刃部が紙載置部に載置された3枚の紙の角端部１５に、紙の下方向から当接すると同時に、平面略十字状に形成された可動片部２０により形成され、上記３つの固定刃部１６に対応する大きな曲率を有する可動刃部１７a、小さな曲率を有する可動刃部１７ｃ、及び中間の曲率を有する可動刃部１７ｂの可動刃部が紙載置部に載置された3枚の紙の角端部１５に、紙の上方向から当接する。
【００４８】
各固定刃部１６及び可動刃部１７が上下方向から3枚の紙に当接することで、固定刃部１６aと可動刃部１７a、固定刃部１６ｃと可動刃部１７ｃ、及び、固定刃部１６ｂと可動刃部１７ｂの交差点において剪断応力が発生し、紙が切断される。
従って、操作部２３を介し、可動刃１３を下方向に移動させるという一回の切断作業で、大きな曲率を有する円弧状端部、小さな曲率を有する円弧状端部、及び中間の曲率を有する円弧状端部が形成され、夫々異なる曲率を有する円弧状端部を備えた紙が最大３枚同時に形成される。
また、紙のサイズに適した固定刃部１６の曲率を選択し、選択した固定刃部１６a、固定刃部１６ｃ、又は、固定刃部１６ｂに連設されている紙載置部１８に紙を載置させた状態で、操作部２３を介し、可動刃１３を下方向に移動させ、紙を切断することで、紙の角端部１５が紙のサイズに応じた適切な円弧状に形成される。
【００４９】
その結果、一回の切断作業で複数枚の紙の角端部１５を円弧状に形成することを可能とすると伴に、紙の角端部１５を紙のサイズに応じた適切な円弧状に形成し、体裁の良い紙を作成することを可能としたコーナーカッターを提供することができる。
【００５０】
図１及び図２に示すように、本実施の形態に係るコーナーカッター１０においては、上記台座部１２は全体略円盤状に形成され、上記紙載置部１８a、紙載置部１８ｃ、及び、紙載置部１８ｂは、円周方向に沿って互いに隣接して設けられていることから、同一直線上に紙載置部１８が連設される場合とは異なり、台座部１２の縦寸法又は横寸法を短くすることができ、全体として持ち運びやすいサイズに形成される。
【００５１】
その結果、複数の固定刃部を備えつつも、持ち運びに適したコンパクトなサイズのコーナーカッターを提供することができる。
【００５２】
図２及び図４に示すように、本実施の形態に係るコーナーカッター１０においては、上記固定刃部１６は、互いに直角となるように所定の空隙部１９を置いて配設されると共に、上記可動刃部１７は、平面略十字状に形成された可動片部２０により形成されていることから、紙の角端部１５を切断するために上記紙載置部１８a、紙載置部１８ｂ、及び上記紙載置部１８ｃに載置された紙同士が重なり合うことがなく、ある紙の移動が他の紙に影響しないため、切断作業が行い易くなる。
【００５３】
その結果、複数の固定刃部を備えつつも、扱い易いコーナーカッターを提供することができる。
【００５４】
図１及び図２に示すように、上記紙載置部１８aに紙を載置する場合、紙載置部１８aには、切断される紙を固定刃部１６aにガイドするためのガイド部材２１a及びガイド部材２１ｂが設けられていることから、紙の角端部１５を適切な切断位置にセットすることができ、切断作業が容易となる。
図１及び図２に示すように、上記紙載置部１８ｂに紙を載置する場合、紙載置部１８ｂには、切断される紙を固定刃部１６ｂにガイドするためのガイド部材２１ｂ及びガイド部材２１ｃが設けられていることから、紙の角端部１５を適切な切断位置にセットすることができ、切断作業が容易となる。
図１及び図２に示すように、上記紙載置部１８ｃに紙を載置する場合、紙載置部１８ｃには、切断される紙を固定刃部１６ｃにガイドするためのガイド部材２１ｃ及びガイド部材２１ｄが設けられていることから、紙の角端部１５を適切な切断位置にセットすることができ、切断作業が容易となる。
【００５５】
その結果、切断される紙の仕上がりの質を向上させ、より体裁の良い紙を容易に作成することを可能としたコーナーカッターを提供することができる。
【００５６】
切断された紙片は空隙部１９から落下し、上記紙片集積部３０(図示せず)に集積される。
【００５７】
なお、請求項及び本実施例におけるコーナーカッターは、紙を切断するものとして記載しているが、この紙には普通紙は勿論、例えば、ラミネート加工された紙や、写真等の加工が施された紙も含む。
【産業上の利用可能性】
【００５８】
本製品は、紙の角端部を切断し、紙の体裁を整えるためのコーナーカッターに適用可能である。
【符号の説明】
【００５９】
１０ コーナーカッター
１１  固定刃
１２  台座部
１３  可動刃
１４  可動部
１５  紙の角端部
１６  固定刃部
１６ａ  大きな曲率を有する固定刃部
１６ｂ  中間の曲率を有する固定刃部
１６ｃ  小さな曲率を有する固定刃部
１７  可動刃部
１７ａ  大きな曲率を有する可動刃部
１７ｂ  中間の曲率を有する可動刃部
１７ｃ  小さな曲率を有する可動刃部
１８  紙載置部
１８ａ  大きな曲率を有する固定刃部に連設された紙載置部
１８ｂ  中間の曲率を有する固定刃部に連設された紙載置部
１８ｃ  小さな曲率を有する固定刃部に連設された紙載置部
１９  空隙部
２０  可動片部
２１  ガイド部材
２１ａ  ガイド部材
２１ｂ  ガイド部材
２１ｃ  ガイド部材
２１ｄ  ガイド部材
２２  可動部本体
２３  操作部
２４  フレーム部
２５  コイルスプリング
２６  可動刃支持部
２７  平板部
２８  端部
２９  軸支部
３０  紙片集積部
３１  カバー
【図１】
0003174514.tif 000003
【図２】
0003174514.tif 000004
【図３】
0003174514.tif 000005
【図４】
0003174514.tif 000006
【図５】
0003174514.tif 000007